【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
追跡装置の位置を特定する方法であって、
中央追跡システムが、一組の安全ゾーンを記述する情報にアクセスすることであって、各安全ゾーンは、地理的境界を含み、ユーザが前記地理的境界内に位置している間に追跡装置が結合された物体をユーザが紛失する確率は、ユーザが前記地理的境界の外側に位置している場合よりも低い、前記アクセスすること、
中央追跡システムが、モバイル装置から前記追跡装置の位置を受信することであって、前記モバイル装置は、前記追跡装置からの通信を受信したことに応答して、前記追跡装置の位置を前記中央追跡システムに供給するように構成される、前記受信すること、
前記安全ゾーンに関連する地理的境界内に位置する位置を受信したことに応答して、前記中央追跡システムが、前記追跡装置が前記一組の安全ゾーンのうちのある安全ゾーン内に位置すると判定すること、
前記追跡装置が前記安全ゾーン内に位置すると判定したことに応答して、前記中央追跡システムが、前記追跡装置を安全ゾーンモードで動作するように設定するための命令を前記モバイル装置に供給することであって、前記モバイル装置は、前記命令を受信したことに応答して、前記安全ゾーンモードで動作するように前記追跡装置を設定するように構成される、前記供給すること、を備える方法。
【請求項２】
前記一組の安全ゾーントのうちのある安全ゾーンは、前記追跡装置の所有者によって定義される、請求項１に記載の方法。
【請求項３】
前記一組の安全ゾーンのうちのある安全ゾーンは、前記追跡装置の履歴位置データまたは動作データに基づいて識別される、請求項１に記載の方法。
【請求項４】
前記一組の安全ゾーンのうちのある安全ゾーンは、前記追跡装置の所有者の家を含む、請求項１に記載の方法。
【請求項５】
前記一組の安全ゾーンのうちのある安全ゾーンは、前記追跡装置の所有者の職場を含む、請求項１に記載の方法。
【請求項６】
前記追跡装置の位置は、前記モバイル装置が前記追跡装置から前記通信を受信したときの前記モバイル装置の位置を含む、請求項１に記載の方法。
【請求項７】
前記追跡装置が通常動作モードでの動作から安全ゾーンモードに切り替わると、通信送信の頻度が減少する、請求項１に記載の方法。
【請求項８】
前記追跡装置は、安全ゾーンモードで動作している場合、通常動作モードで動作している追跡装置に比べて少ない電力を使用する、請求項１に記載の方法。
【請求項９】
前記中央追跡システムは、前記追跡装置が前記安全ゾーン内に位置する場合、前記追跡装置を安全として分類するように構成される、請求項１に記載の方法。
【請求項１０】
前記中央追跡システムが、前記追跡装置の第２の位置を受信すること、
前記中央追跡システムが、前記一組の安全ゾーンに関連する地理的境界の外側に位置する第２の位置を受信したことに応答して、前記追跡装置が前記一組の安全ゾーンの外側に位置すると判定すること、
前記追跡装置が前記一組の安全ゾーンの外側に位置すると判定したことに応答して、前記中央追跡システムが、前記追跡装置を通常動作モードで動作するように設定するための第２の命令をモバイル装置に供給することであって、前記モバイル装置は、前記第２の命令を受信したことに応答して、前記通常動作モードで動作するように前記追跡装置を設定するように構成される、前記供給すること、をさらに備える請求項１に記載の方法。
【請求項１１】
プロセッサによって実行されると、追跡装置の位置を特定するための複数のステップを実行する複数のコンピュータ実行可能命令を格納する非一時的なコンピュータ可読記憶媒体であって、前記複数のステップは、
中央追跡システムが、一組の安全ゾーンを記述する情報にアクセスすることであって、各安全ゾーンは、地理的境界を含み、ユーザが前記地理的境界内に位置している間に追跡装置が結合された物体をユーザが紛失する確率は、ユーザが前記地理的境界の外側に位置している場合よりも低い、前記アクセスすること、
中央追跡システムが、モバイル装置から前記追跡装置の位置を受信することであって、前記モバイル装置は、前記追跡装置からの通信を受信したことに応答して、前記追跡装置の位置を前記中央追跡システムに供給するように構成される、前記受信すること、
前記安全ゾーンに関連する地理的境界内に位置する位置を受信したことに応答して、前記中央追跡システムが、前記追跡装置が前記一組の安全ゾーンのうちのある安全ゾーン内に位置すると判定すること、
前記追跡装置が前記安全ゾーン内に位置すると判定したことに応答して、前記中央追跡システムが、前記追跡装置を安全ゾーンモードで動作するように設定するための命令を前記モバイル装置に供給することであって、前記モバイル装置は、前記命令を受信したことに応答して、前記安全ゾーンモードで動作するように前記追跡装置を設定するように構成される、前記供給すること、を備える、非一時的なコンピュータ可読記憶媒体。
【請求項１２】
前記追跡装置は、閾値時間の間に前記安全ゾーンモードで動作するように設定され、その後、前記追跡装置は、通常動作モードで動作するように設定される、請求項１１に記載の非一時的なコンピュータ可読記憶媒体。
【請求項１３】
前記追跡装置の動きセンサが前記追跡装置の動きを検出するまで、前記追跡装置は、閾値時間の間に前記安全ゾーンモードで動作するように設定される、請求項１１に記載の非一時的なコンピュータ可読記憶媒体。
【請求項１４】
前記中央追跡システムが前記モバイル装置に第２の命令を供給して前記追跡装置を異なるモードで動作するように設定するまで、前記追跡装置は、前記安全ゾーンモードで動作するように設定される、請求項１１に記載の非一時的なコンピュータ可読記憶媒体。
【請求項１５】
追跡装置の位置を特定する方法であって、
モバイル装置が、追跡装置から該追跡装置を識別する通信を受信すること、
前記通信を受信したことに応答して、前記モバイル装置が、前記モバイル装置の位置を決定すること、
前記モバイル装置が、前記追跡装置の決定された位置および識別を中央追跡システムに供給すること、
前記モバイル装置が、前記中央追跡システムから、前記追跡装置が安全ゾーン内に位置するという指示を受信することであって、前記中央追跡システムは、一組の安全ゾーンを記述する情報にアクセスするように構成され、各安全ゾーンは、地理的境界を含み、ユーザが前記地理的境界内に位置している間に追跡装置が結合された物体をユーザが紛失する確率が、ユーザが前記地理的境界の外側に位置している場合よりも低く、前記中央追跡システムは、決定された位置が安全ゾーンに関連付けられた地理的境界内に位置しているかどうかを判定するように構成される、前記受信すること、
前記追跡装置が前記安全ゾーン内に位置するという指示を受信したことに応答して、前記モバイル装置が、安全ゾーンモードで動作するように前記追跡装置を設定すること、を備える方法。
【請求項１６】
前記モバイル装置は、前記中央追跡システムからの前記追跡装置を前記安全ゾーンモードに設定するための命令に応答して、前記安全ゾーンモードで動作するように前記追跡装置を設定する、請求項１５に記載の方法。
【請求項１７】
前記モバイル装置は、前記追跡装置が前記安全ゾーンモードで動作するように設定されている場合、前記追跡装置が通常動作モードで動作するように設定されている場合よりも前記追跡装置に関する少ない通知を供給するように構成される、請求項１５に記載の方法。
【請求項１８】
前記モバイル装置および前記追跡装置は、共通の所有者に関連付けられている、請求項１５に記載の方法。
【請求項１９】
前記モバイル装置および前記追跡装置は、異なる所有者に関連付けられている、請求項１５に記載の方法。
【請求項２０】
前記モバイル装置が、前記中央追跡システムから、前記追跡装置が前記安全ゾーンの外側に位置するという第２の指示を受信すること、
前記追跡装置が前記安全ゾーンの外側に位置するという第２の指示を受信したことに応答して、前記モバイル装置が、異なる動作モードで動作するように前記追跡装置を設定すること、をさらに備える請求項１５に記載の方法。